(57)【要約】【課題】草刈り時の雑草等の絡みつき防止と切れ味に優れ、刈払い機のエンジンへの負荷を軽減させるとともに、経済的な草刈り用チップソーを提供すること。【解決手段】複数の山型のチップ取付け部を有し、台金への脱着が可能な替え刃を備えたチップソーであって、前記チップ取付け部の各稜線にはチップと鋸歯が形成され、隣接する前記チップ取付け部の間には、Ｖ型の刃室を有する草刈り用チップソーである。【選択図】図１
2019205356.tif 000002
【特許請求の範囲】
【請求項１】
刈払機への取付け穴が穿設された円板状の台金と、該台金の外周縁部に脱着可能に取り付けられる複数のチップ取付け部を有する円環状の替え刃とを備えたチップソーにおいて、前記チップ取付け部は直線状の前傾と直線状の後傾を稜線とする山型に形成され、前記前傾と前記後傾が交わる前記チップ取付け部の前記前傾側には、前記前傾の長さの１／２以上にチップが固着され、前記後傾側には、前記後傾の長さの１／２以上に鋸歯状の複数の歯が形成され、隣接する前記チップ取付け部の間には、直線状の前記後傾と直線状の前記前傾により形成される刃室を有することを特徴とする草刈り用チップソー。
【請求項２】
前記替え刃は、前記台金の外周縁部で円弧状に複数に分割され、分割された各替え刃が接合して円環状に形成されるとともに、分割された各替え刃は複数のチップ取付け部を有することを特徴とする請求項１に記載の草刈り用チップソー。
【発明の詳細な説明】
【技術分野】
【０００１】
本発明は、雑草、雑木、小竹等の植物を刈り払いする際に使用する草刈り用チップソーに関する。
【背景技術】
【０００２】
これまでの草刈り用チップソーは、円板状の台金の外周縁部に、所定間隔で複数のチップ取付け部が形成され、その先端部にチップが取り付けられている。このチップソーを刈払い機に取り付けて回転させることにより、雑草等の草刈りを行っている。
【先行技術文献】
【特許文献】
【０００３】
【特許文献１】特開２００５−１５１９５４
【発明の概要】
【発明が解決しようとする課題】
【０００４】
しかしながら、前記特許文献１に記載の従来の草刈り用チップソーによると、多数のチップ取付部にそれぞれ固着されたチップは、草刈り時にチップが硬い草木や石や金属等に接触して刃の摩耗や損傷が起こり、徐々に草刈りの効果が失われるものであり、一部のチップが破損した場合でも、新規のチップソーとまるごと交換するしかなかった。また、草刈りを続けると、隣り合うチップ取付部間の刃室に、刈り取られた草木が挟まって絡み、スムーズな草刈りができなくなる問題があった。
【課題を解決するための手段】
【０００５】
上記課題を解決するために、本発明のチップソーは、刈払機への取付け穴が穿設された円板状の台金と、該台金の外周縁側に脱着可能に取り付けられる複数のチップ取付け部を有する円環状の替え刃とを備えたチップソーにおいて、前記チップ取付け部は直線状の前傾と直線状の後傾を稜線とする山型に形成され、前記前傾と前記後傾が交わる前記チップ取付け部の前記前傾側には、前記前傾の長さの１／２以上にチップが固着され、前記後傾側には、前記後傾の長さの１／２以上に鋸歯状の複数の歯が形成され、隣接する前記チップ取付け部の間には、直線状の前記後傾と直線状の前記前傾により形成される刃室を有することを特徴とする。
【０００６】
さらに本発明のチップソーは、前記替え刃が、前記台金の外周縁部で円弧状に複数に分割され、分割された各替え刃が接合して円環状に形成されるとともに、分割された各替え刃は複数のチップ取付け部を有することを特徴とする。
【発明の効果】
【０００７】
本発明のチップソーによれば、チップ取付け部の前傾に固着されたチップと、後傾に形成された鋸刃状の複数の刃により、草木の絡みを軽減でき、常にスムーズな草刈りを行うことができるとともに、一部の刃が破損した場合には、その部分の替え刃のみを交換すればよいので、従来のチップソーに比べ経済的であり、草刈りの作業効率も格段に向上する。
【図面の簡単な説明】
【０００８】
【図１】本発明の草刈り用チップソーの平面図である。
【図２】本発明の草刈り用チップソーのチップ取付け部の拡大図である。
【図３】本発明の草刈り用チップソーの替え刃の平面図である。
【図４】本発明の草刈り用チップソーの替え刃を覆うカバーの平面図である。
【実施例】
【０００９】
図１は本発明の草刈り用チップソーの平面図である。図１において、刈払機への取付け穴４ａが穿設された円板状の台金４の外周部３には、等間隔に複数の山型のチップ取付け部１０が設けられ、該チップ取付け部１０の二つの稜線部には異なる刃が形成された円環状の替え刃１１がボルト１２により取り付けられている。また、替え刃１１の上側には、円環状のカバー１３が前記ボルト１２で一緒に固定されている。円環状の替え刃１１は４つの円弧状の替え刃に分割されており、円環状のカバー１３も４つの円弧状のカバーに分割されている。
【００１０】
図２は本発明の草刈り用チップソーのチップ取付け部の拡大図である。図２において、台金４の外周縁部３に設けられたチップ取付け部１０の２つの稜線のうちの前傾、つまり、外周縁部３と稜線とが鋭角をなす側には、その先端部に超合金のチップ２が固着されている。また、チップ取付け部１０の２つの稜線のうちの後傾、つまり、外周縁部３と稜線とが鈍角をなす側には、鋸刃１が形成されている。
【００１１】
なお、チップ２及び鋸刃１の取付け長さは、各々チップ取付け部１０の前傾６及び後傾７の１/２以上とする。また、前傾と後傾とが交わる刃先８を頂点とする角度は約３５度としている。
【００１２】
本発明の草刈り用チップソーは、チップ取付け部１０の前傾６及び後傾７の両方に刃が形成されているので、一方の刃が損傷した際には台金４を裏返して使用したり、回転方向５を変えて使用すれば、損傷していない刃を使用することができる。また、後傾７に設けられた鋸刃１で草刈りを行う場合には、草刈り対象物に鋸刃１が鈍角的に当接するため、よりスムーズな切れ味が得られるとともに、Ｖ型の刃室９への草溜まりも軽減でき、刈り払い機のエンジンへの負荷も減少する。
【００１３】
図３は本発明の草刈り用チップソーの替え刃１１の平面図である。本実施例では、４分割された円弧状の替え刃１１ａ、１１ｂ、１１ｃ及び１１ｄが円環状に連接されて替え刃１１を形成している。分割された各替え刃には４つのチップ取付け部１０が設けられており、各チップ取付け部１０には、図２で説明したようなチップ２と鋸刃１が形成されている。また台金４にボルトで取り付け固定するための取付け穴１４が設けられている。上記によれば、一部の歯が損傷した場合には、その歯を有する替え刃のみを交換することができるので、極めて経済的である。
【００１４】
図４は、替え刃１１を覆うように前記ボルト１２で台金４に替え刃１１と一緒に固定されているカバー１３の平面図である。カバー１３にはボルト１２が貫通する穴１５が設けられている。本実施例では、カバー１３も替え刃１１と同様に円弧状に４分割されているが、分割された各カバーは２つの隣接する替え刃の接合部がカバーの中央部に重なるように取り付けられている。
【産業上の利用可能性】
【００１５】
本発明は、台金のチップ取付け部にチップが固着される実施例に示すようなものに限定されることなく、各種形態のチップソーに適用できる。
【符号の説明】
【００１６】
１  鋸刃
２  チップ
３  外周縁部
４  台金
５  回転方向
６  前傾
７  後傾
８  刃先部
９  刃室
１０  チップ取付け部
１１、１１ａ、１１ｂ、１１ｃ、１１ｄ  替え刃
１２  ボルト
１３  カバー
１４  取付け穴
１５  穴
【図１】
2019205356.tif 000003
【図２】
2019205356.tif 000004
【図３】
2019205356.tif 000005
【図４】
2019205356.tif 000006